(57)【要約】【課題】ヘッド本体にフェースインサートを装着したパターヘッドであって、ボールをヒットしたときの打感が柔らかいとともに、打音が硬く（高く）、したがってパットの距離感をつかみやすいパターヘッドを提供する。【解決手段】フェースインサート１０として、ゴルフボールを打撃する打面を形成する高硬度部分１２と、高硬度部分に接合され、高硬度部分よりも硬度が低い低硬度部分１４とからなり、かつ、高硬度部分のショアＤ硬度が３０以上、低硬度部分のショアＤ硬度が１０以上、高硬度部分のショアＤ硬度と低硬度部分のショアＤ硬度との差が５以上であるものを用いる。【選択図】図２
2007117472.tif 000002
【特許請求の範囲】
【請求項１】
ヘッド本体のフェース部にフェースインサートを装着したパターヘッドにおいて、前記フェースインサートは、打面を形成する高硬度部分と、前記高硬度部分に接合された前記高硬度部分よりも硬度が低い低硬度部分とからなり、かつ、高硬度部分のショアＤ硬度が３０以上、低硬度部分のショアＤ硬度が１０以上、高硬度部分のショアＤ硬度と低硬度部分のショアＤ硬度との差が５以上であることを特徴とするパターヘッド。
【請求項２】
高硬度部分および低硬度部分の一方または両方がエラストマーにより形成されていることを特徴とする請求項１に記載のパターヘッド。
【請求項３】
高硬度部分および低硬度部分の一方または両方がウレタン樹脂により形成されていることを特徴とする請求項１に記載のパターヘッド。
【請求項４】
高硬度部分および低硬度部分の一方に凹部を形成し、他方を前記凹部の内面に接合した構造を有することを特徴とする請求項１〜３のいずれか１項に記載のパターヘッド。
【請求項５】
平板状の高硬度部分の片面に平板状の低硬度部分を接合した構造を有することを特徴とする請求項１〜３のいずれか１項に記載のパターヘッド。
【請求項６】
環状の低硬度部分の内周面に高硬度部分を接合した構造を有することを特徴とする請求項１〜３のいずれか１項に記載のパターヘッド。
【発明の詳細な説明】
【技術分野】
【０００１】
本発明は、ヘッド本体のフェース部にフェースインサートを装着したパターヘッドに関する。
【背景技術】
【０００２】
従来、ヘッド本体のフェース部に、ヘッド本体とは別の材料からなるフェースインサートを装着したパターヘッドが提案されている。例えば、特許文献１には、ヘッド本体のフェース部に、ゴム弾性体層と焼結金属層とフッ素樹脂層との一体積層構造のフェースインサートを装着したパターヘッドが記載されている。また、特許文献２には、ヘッド本体のフェース部に、ヘッドのスイートスポット近傍側から周縁側に近づくにつれて肉厚が増大する弾性体製フェースインサートを装着したパターヘッドが記載されている。
【０００３】
【特許文献１】特開２００４−２３６９８５号公報
【特許文献２】特開２００５−１２４７３０号公報
【発明の開示】
【発明が解決しようとする課題】
【０００４】
前述したヘッド本体にフェースインサートを装着したパターヘッドは、通常、フェースインサートによってボールをヒットしたときの打感を柔らかくすることを目的としている。
【０００５】
しかし、従来のヘッド本体にフェースインサートを装着したパターヘッドでは、フェースインサートによって打感が柔らかくなる一方、打音が鈍く（低く）なり、パットの距離感をつかみにくくなることがあった。
【０００６】
本発明は、前述した事情に鑑みてなされたもので、ヘッド本体にフェースインサートを装着したパターヘッドであって、ボールをヒットしたときの打感が柔らかいとともに、打音が硬く（高く）、したがってパットの距離感をつかみやすいパターヘッドを提供することを目的とする。
【課題を解決するための手段】
【０００７】
本発明は、前記目的を達成するため、ヘッド本体のフェース部にフェースインサートを装着したパターヘッドにおいて、前記フェースインサートは、打面を形成する高硬度部分と、前記高硬度部分に接合された前記高硬度部分よりも硬度が低い低硬度部分とからなることを特徴とするパターヘッドを提供する。
【０００８】
本発明のパターヘッドでは、打面（ゴルフボールを直接打撃する面）を形成する高硬度部分の硬度が高いため、この高硬度部分によって硬い（高い）打音を得ることができ、したがってパットの距離感をつかみやすい。また、フェースインサートの高硬度部分以外の部分を形成する低硬度部分の硬度が高硬度部分よりも低いため、この低硬度部分によって柔らかい打感を得ることができる。
【０００９】
以下、本発明につきさらに詳しく説明する。本発明において、ヘッド本体の材質としては、例えば、ステンレススチール、アルミニウム、アルミニウム合金、真鍮、銅、チタニウム合金、亜鉛、炭素繊維強化樹脂等を挙げることができるが、これらに限定されるものではない。
【００１０】
また、フェースインサートの高硬度部分および低硬度部分の材質としては、例えば、アイオノマー樹脂、ウレタン樹脂、ウレタン系エラストマー、ポリエステル系エラストマー等の合成樹脂類、スチレンブタジエンラバー、ブタジエンゴム等のゴム類などを挙げることができるが、これらに限定されるものではない。フェースインサートの高硬度部分および低硬度部分の材質として特に好ましいのは、ウレタン系エラストマー、ポリエステル系エラストマー等のエラストマーおよびウレタン樹脂である。
【００１１】
本発明では、高硬度部分のショアＤ硬度を３０以上、より好ましくは３５〜１００、低硬度部分のショアＤ硬度を１０以上、より好ましく１５〜６０、高硬度部分のショアＤ硬度と低硬度部分のショアＤ硬度との差を５以上、より好ましくは１０〜８５とする。高硬度部分のショアＤ硬度が３０未満であると、硬い打音が得られないことがある。低硬度部分のショアＤ硬度が１０未満であると、柔らかい打感が得られないことがある。高硬度部分のショアＤ硬度と低硬度部分のショアＤ硬度との差が５未満であると、打感を柔らかくし、打音を硬くするという本発明の効果が得られないことがある。
【００１２】
本発明では、高硬度部分および低硬度部分の一方または両方を多層構造とすることができる。高硬度部分のみを多層構造とする場合、高硬度部分のうちのゴルフボールと接する最外層のショアＤ硬度、および上記最外層と低硬度部分との硬度差を前述した値とする。低硬度部分のみを多層構造とする場合、低硬度部分のうちのヘッド本体に最も近い最内層のショアＤ硬度、および上記最内層と高硬度部分との硬度差を前述した値とする。高硬度部分および低硬度部分の両方を多層構造とする場合、高硬度部分のうちのゴルフボールと接する最外層のショアＤ硬度、低硬度部分のうちのヘッド本体に最も近い最内層のショアＤ硬度、および上記高硬度部分の最外層と低硬度部分の最内層との硬度差を前述した値とする。
【００１３】
本発明のパターヘッドの構造に特に限定はないが、例えば下記（ａ）〜（ｃ）に示す構造を好適に採用することができる。
（ａ）高硬度部分および低硬度部分の一方に凹部を形成し、他方を前記凹部の内面に接合した構造。
（ｂ）平板状の高硬度部分の片面に平板状の低硬度部分を接合した構造。
（ｃ）環状の低硬度部分の内周面に高硬度部分を接合した構造。
【発明の効果】
【００１４】
本発明のパターヘッドは、ボールをヒットしたときの打感が柔らかく、しかも打音が硬いためパットの距離感をつかみやすい。
【発明を実施するための最良の形態】
【００１５】
以下、本発明の実施形態を図面を参照して説明するが、本発明は下記例に限定されるものではない。
【００１６】
（第１実施形態）
図１は本発明のパターヘッドに用いるフェースインサートの第１実施形態を示す背面図、図２は図１Ａ−Ａ線に沿った拡大断面図である。本例のフェースインサート１０は、打面を形成する高硬度部分１２と、高硬度部分１２よりも硬度が低い低硬度部分１４とからなるもので、板状の高硬度部分１２に凹部１６を形成し、この凹部１６内に板状の低硬度部分１４を接合した構造を有する。本例のフェースインサート１０は、例えば図３に示すように、ヘッド本体１００のフェース部１０２に形成した凹部１０４に装着して使用する。なお、本例のフェースインサート１０では、低硬度部分１４の厚さと凹部１６の深さを等しくしたが、低硬度部分１４の厚さを凹部１６の深さより厚くし、低硬度部分１４の周縁部外面と高硬度部分１２の周縁部内面とを接合してもよい。
【００１７】
（第２実施形態）
図４は本発明のパターヘッドに用いるフェースインサートの第２実施形態を示す背面図、図５は図４Ａ−Ａ線に沿った拡大断面図である。本例のフェースインサート２０は、打面を形成する高硬度部分２２と、高硬度部分２２よりも硬度が低い低硬度部分２４とからなるもので、板状の低硬度部分２４に凹部２６を形成し、この凹部２６内に板状の高硬度部分２２を接合した構造を有する。本例のフェースインサート２０の使用方法は、第１実施形態と同様である。なお、本例のフェースインサート２０では、高硬度部分２２の厚さと凹部２６の深さを等しくしたが、高硬度部分２２の厚さを凹部２６の深さより厚くし、高硬度部分２２の周縁部内面と低硬度部分２４の周縁部外面とを接合してもよい。
【００１８】
（第３実施形態）
図６は本発明のパターヘッドに用いるフェースインサートの第３実施形態を示す断面図である。本例のフェースインサート３０は、打面を形成する高硬度部分３２と、高硬度部分３２よりも硬度が低い低硬度部分３４とからなるもので、平板状の高硬度部分３２の片面に平板状の低硬度部分３４を接合した構造を有する。本例のフェースインサート３０の使用方法は、第１実施形態と同様である。
【００１９】
（第４実施形態）
図７は本発明のパターヘッドに用いるフェースインサートの第４実施形態を示す断面図である。本例のフェースインサート４０は、打面を形成する高硬度部分４２と、高硬度部分４２よりも硬度が低い低硬度部分４４とからなるもので、環状の低硬度部分４４の内周面に平板状の高硬度部分４２を接合した構造を有する。また、本例のフェースインサート４０では、高硬度部分４２の厚さと低硬度部分４４の厚さを等しくしてある。本例のフェースインサート４０の使用方法は、第１実施形態と同様である。
【００２０】
（第５実施形態）
図８は本発明のパターヘッドに用いるフェースインサートの第５実施形態を示す断面図である。本例のフェースインサート５０は、打面を形成する高硬度部分５２と、高硬度部分５２よりも硬度が低い低硬度部分５４とからなるもので、環状の低硬度部分５４の内周面に板状の高硬度部分５２を接合した構造を有する。また、本例のフェースインサート５０では、高硬度部分５２の厚さを低硬度部分５４の厚さより厚くしてあり、高硬度部分５２の周縁部内面を低硬度部分５４の外面に接合してある。本例のフェースインサート５０の使用方法は、第１実施形態と同様である。
【００２１】
（第６実施形態）
図９は本発明のパターヘッドに用いるフェースインサートの第６実施形態を示す断面図である。本例のフェースインサート６０は、打面を形成する高硬度部分６２と、高硬度部分６２よりも硬度が低い低硬度部分６４とからなるもので、環状の低硬度部分６４の内周面に板状の高硬度部分６２を接合した構造を有する。また、本例のフェースインサート６０では、高硬度部分６２の厚さを低硬度部分６４の厚さより厚くしてあり、高硬度部分６２の周縁部外面を低硬度部分６４の内面に接合してある。本例のフェースインサート６０の使用方法は、第１実施形態と同様である。
【実施例】
【００２２】
図１、図２に示した第１実施形態のフェースインサート１０を図３に示したヘッド本体１００に装着したパターヘッドを用いてパターを作製した。この場合、ヘッド本体の材質はアルミニウム合金、高硬度部分１２の材質はウレタン樹脂（ショアＤ硬度：６０）、低硬度部分１４の材質はウレタン樹脂（ショアＤ硬度：４０）、シャフトの材質は鋼（スチール）とした。また、フェースインサート１０の高さｈは２０ｍｍ、幅ｗは７０ｍｍ、厚さｄは４ｍｍ、凹部１６の深さｍは２ｍｍ、凹部１６によって形成された高硬度部分１２の凸部１８の幅ｎは２ｍｍ、フェース面ｆの面積は約１２９０ｍｍ２、凹部１６の底面ｇの面積は約９３０ｍｍ２とした。
【００２３】
次に、得られたパター（実施例）によってパッティングを行い、打感および打音を評価した。ゴルフボールとしては、ブリヂストンスポーツ株式会社製ＴｏｕｒｓｔａｇｅＸ−０１を用いた。また、比較のため、ヘッド本体に凹部を設けず、フェースインサートを装着しないこと以外は実施例と同様のパター（比較例１）、フェースインサートとしてウレタン樹脂（ショアＤ硬度：２５）からなる単層構造のものを用いたこと以外は実施例と同様のパター（比較例２）、高硬度部分にショアＤ硬度６０のウレタン樹脂、低硬度部分にショアＤ硬度５６のウレタン樹脂を用いたこと以外は実施例と同様のパター（比較例３：高硬度部分と低硬度部分のショアＤ硬度差が５未満）を使用して同様のテストを行った。打感および打音の評価は、複数のゴルファーによる官能評価によって行った。結果を表１に示す。
【００２４】
【表１】
2007117472.tif 000003
表１の結果より、本発明のパターヘッドは、ボールをヒットしたときの打感が柔らかく、しかも打音が硬いためパットの距離感をつかみやすいことが確認された。
【図面の簡単な説明】
【００２５】
【図１】本発明のパターヘッドに用いるフェースインサートの第１実施形態を示す背面図である。
【図２】図１Ａ−Ａ線に沿った拡大断面図である。
【図３】フェースインサートを装着したパターヘッドの一例を示す分解斜視図である。
【図４】本発明のパターヘッドに用いるフェースインサートの第２実施形態を示す背面図である。
【図５】図４Ａ−Ａ線に沿った拡大断面図である。
【図６】本発明のパターヘッドに用いるフェースインサートの第３実施形態を示す断面図である。
【図７】本発明のパターヘッドに用いるフェースインサートの第４実施形態を示す断面図である。
【図８】本発明のパターヘッドに用いるフェースインサートの第５実施形態を示す断面図である。
【図９】本発明のパターヘッドに用いるフェースインサートの第６実施形態を示す断面図である。
【符号の説明】
【００２６】
１０  フェースインサート
１２  高硬度部分
１４  低硬度部分
１６  凹部
２０  フェースインサート
２２  高硬度部分
２４  低硬度部分
２６  凹部
３０  フェースインサート
３２  高硬度部分
３４  低硬度部分
４０  フェースインサート
４２  高硬度部分
４４  低硬度部分
５０  フェースインサート
５２  高硬度部分
５４  低硬度部分
６０  フェースインサート
６２  高硬度部分
６４  低硬度部分
【図１】
2007117472.tif 000004
【図２】
2007117472.tif 000005
【図３】
2007117472.tif 000006
【図４】
2007117472.tif 000007
【図５】
2007117472.tif 000008
【図６】
2007117472.tif 000009
【図７】
2007117472.tif 000010
【図８】
2007117472.tif 000011
【図９】
2007117472.tif 000012